(57)【要約】【課題】スポーツ観戦、観劇などの役務を自ら享受したユーザが、その役務の記念にユーザに固有の情報を記録・発行した媒体を入手するシステム、装置、方法、及びプログラムを提供する。【解決手段】入場チケット２に印刷されている２次元コード５をカメラ付き携帯電話１で読み込み、印刷装置４に接続している出力情報発行装置３にアクセスすると、入場チケットに印刷されているのと同一のチケット情報およびその役務のハイライトシーンなどの画像を含む出力情報がシールなどの媒体に記録・発行される。出力情報には、当該ユーザの氏名と座席番号も含まれるので、そのユーザだけの記念品となる。発行要求を受け付けた出力情報発行装置３は、氏名を利用したユーザ認証を行うので、役務を享受したユーザ以外の者が、チケット２の半券などを拾って、発行を要求しても、本来のユーザが入手できるのと同じシール等を得ることができない。【選択図】図１
2010061589.tif 000002
【特許請求の範囲】
【請求項１】
スポーツ観戦、観劇などの役務を自ら享受したユーザの記念とするために
当該役務の入場チケットに印刷されている情報と
当該役務に関連した画像情報と
当該ユーザの氏名を少なくとも含むユーザ固有情報とを統合して作成した出力情報を媒体に記録・発行する出力情報発行システムであって、
この出力情報発行システムは、
画像出力媒体を発行するシステムのウェブサイトに接続するためのＵＲＬ情報及び
チケットＩＤや日付や場所や席番号が少なくとも含まれているチケット情報とが
予め印刷されている入場チケットと
出力情報の発行を要求するユーザが使用する端末装置と
出力情報を発行する印刷装置と
上記端末装置と上記印刷装置と通信可能に構成された出力情報発行装置と
を有し、
上記出力情報発行装置は、
チケット情報を記憶するチケット情報記憶手段と
当該役務に関連した画像情報を記憶する画像情報記憶手段と
ユーザの氏名を少なくとも含むユーザ固有情報記憶手段と
上記ＵＲＬ情報に基づき接続してきた上記端末装置からの発行要求を受け付けると
ともに、送信されてきたチケット情報を受信する発行要求受付手段と、
上記端末装置からユーザ固有情報を受信し、上記ユーザ固有情報記憶手段に
上記チケット情報に含まれるチケットＩＤが未登録であれば、
受信したユーザ固有情報をこのチケットＩＤに関連づけて登録するユーザ固有情報登録  手段と、
上記端末装置から出力要求のあった画像情報を上記画像情報記憶手段から抽出する出力用画像情報抽出手段と、
チケットＩＤに対応付けられた氏名を上記ユーザ固有情報記憶手段から抽出し、
上記受信した氏名と一致するならば、正当なユーザと判定するユーザ認証手段と、
ユーザ認証に成功した場合には、上記抽出された画像情報と上記チケット情報記憶手段  から抽出したチケット情報と当該ユーザの氏名を含むユーザ固有情報から成る出力情報を生成する出力情報生成手段と、
上記印刷装置に生成した情報を送信する出力情報発行指示手段と、
を有することを特徴とする出力情報発行システム。
【請求項２】
上記端末装置は、カメラ付きの携帯電話であり、上記入場チケットには、ＵＲＬ情報及びチケット情報が記憶された２次元コードが印刷され、上記携帯電話のカメラ機能によって読み取られることを特徴とする請求項１に記載の出力情報発行システム。
【請求項３】
上記出力情報生成手段は、利用者認証に失敗した場合、ユーザが正当である場合に生成する情報から氏名および席番号を削除した情報、あるいは、当該役務に特有の画像情報を削除した情報を生成することを特徴とする請求項１又は２に記載の出力情報発行システム。
【請求項４】
上記出力情報発行装置は、ポイント付与手段を有し、このポイント付与手段は、正当なユーザからの要求により出力情報を発行した場合は当該ユーザにポイントを付与し、正当でないユーザからの要求により出力情報を発行した場合は正当なユーザにポイントを付与し、付与したポイントを上記ユーザ固有情報記憶手段に記憶させることを特徴とする請求項１〜３のいずれかの項に記載の出力情報発行システム。
【請求項５】
上記画像情報記憶手段は、同一の役務が複数の主体によって提供される場合、個々の主体ごとの画像情報をその主体を識別する主体ＩＤと関連づけて記憶するとともに、上記ポイント付与手段は、ユーザから出力要求があった画像情報に関連づけられた主体ＩＤごとにポイントを付与することを特徴とする請求項４に記載の出力情報発行システム。
【請求項６】
上記ユーザ固有情報登録手段は、上記携帯電話の機種固有情報を上記ユーザ固有情報記憶手段に登録し、上記ユーザ認証手段は、氏名に代えて携帯電話の機種固有情報を正当なユーザであることの判定に利用することを特徴とする請求項２に記載の出力情報発行システム。
【請求項７】
上記入場チケットは、日付の代りに有効期間が定められ、契約者ＩＤを付与された期間契約の入場チケットであって、
上記チケット情報記憶手段および上記ユーザ固有情報記憶手段には、当該入場チケットの契約者ＩＤも含められ、
上記端末装置から上記出力情報発行装置に接続するためのＵＲＬ情報が当該役務の提供場所に掲示されているとともに、
上記ユーザ認証手段は、氏名の代りに入力された契約者ＩＤによって正当なユーザか否かを判定することを特徴とする請求項１〜５のいずれかの項に記載の出力情報発行システム。
【請求項８】
スポーツ観戦、観劇などの役務を自ら享受したユーザの記念とするために
当該役務の入場チケットに印刷されている情報と
当該役務に関連した画像情報と
当該ユーザの氏名を少なくとも含む当該ユーザ固有情報とを
統合して作成した出力情報を媒体に記録・発行する装置であって、
入力手段と、画面表示手段と、印刷手段と、
チケット情報を記憶するチケット情報記憶手段と、
役務に関連する画像情報を記憶する画像情報記憶手段と、
ユーザの氏名を少なくとも含むユーザ固有情報記憶手段と、
上記入力手段を介して入力された出力情報発行要求を受け付けるとともに、チケットＩＤ、日付、場所、席番号を少なくとも含むチケット情報を受け付ける発行要求受付手段と、
上記ユーザ固有情報記憶手段に上記チケット情報に含まれるチケットＩＤが未登録であれば、上記入力手段を介して入力された当該ユーザの氏名を含むユーザ固有情報をこのチケットＩＤに関連づけて登録するユーザ固有情報登録手段と、
上記画像情報記憶手段に記憶されている画像情報を上記画面表示手段に表示させ、上記入力手段を介して選択された画像情報を上記画像情報記憶手段から抽出する出力用画像情報抽出手段と、
チケットＩＤに対応付けられた氏名を上記ユーザ固有情報記憶手段から抽出し、上記入力された氏名と一致するならば、正当なユーザと判定するユーザ認証手段と、
ユーザ認証に成功した場合には、上記特定された画像情報と上記チケット情報記憶手段から抽出したチケット情報と当該ユーザの氏名を含むユーザ固有情報から成る出力情報を生成する出力情報生成手段と、
上記印刷手段に生成した情報を送信する出力情報発行指示手段と、
を有することを特徴とする出力情報発行装置。
【請求項９】
上記出力情報生成手段は、利用者認証に失敗した場合、ユーザが正当である場合に発行する情報から氏名および席番号を削除した情報、あるいは、当該役務に特有の画像情報を削除した情報を生成することを特徴とする請求項８記載の出力情報発行装置。
【請求項１０】
ポイント付与手段を更に有し、このポイント付与手段は、正当なユーザからの要求により出力情報を発行した場合は当該ユーザにポイントを付与し、正当でないユーザからの要求により出力情報を発行した場合は正当なユーザにポイントを付与し、付与したポイントを上記ユーザ固有情報記憶手段に記憶させることを特徴とする請求項８又は９に記載の出力情報発行装置。
【請求項１１】
上記画像情報記憶手段は、同一の役務が複数の主体によって提供される場合、個々の主体ごとの画像情報をその主体を識別する主体ＩＤと関連づけて記憶するとともに、上記ポイント付与手段は、ユーザから出力要求があった画像情報に関連づけられた主体ＩＤごとにポイントを付与することを特徴とする請求項１０に記載の出力情報発行装置。
【請求項１２】
上記入場チケットは、日付の代りに有効期間が定められ、契約者ＩＤを付与された期間契約の入場チケットであって、
上記チケット情報記憶手段および上記ユーザ固有情報記憶手段には、当該入場チケットの契約者ＩＤも含められ、
上記ユーザ認証手段は、氏名の代りに入力された契約者ＩＤによって正当なユーザか否かを判定することを特徴とする請求項８〜１１のいずれかの項に記載の出力情報発行装置。
【請求項１３】
スポーツ観戦、観劇などの役務を自ら享受したユーザの記念とするために
当該役務の入場チケットに印刷されている情報と
当該役務に関連した画像情報と
当該ユーザの氏名を少なくとも含むユーザ固有情報とを
統合して作成した出力情報を媒体に記録・発行するために、
入場チケットに印刷されているＵＲＬ情報に基づきウェブサイトにアクセスするユーザが使用する端末装置と
出力情報を発行する印刷装置と通信可能に構成されたコンピュータにより行われる方法であって、
上記コンピュータは、
チケット情報を記憶するチケット情報記憶手段と
当該役務に関連した画像情報を記憶する画像情報記憶手段と
ユーザの氏名を少なくとも含むユーザ固有情報記憶手段と
を有しており、
上記ＵＲＬ情報に基づき接続してきた上記端末装置からの発行要求を受け付けるとともに、送信されてきたチケット情報を受信するステップと、
上記端末装置から当該ユーザの氏名を含むユーザ固有情報を受信し、上記ユーザ固有情報記憶手段に上記チケット情報に含まれるチケットＩＤが未登録であれば、受信したユーザ固有情報をこのチケットＩＤに関連づけて登録するステップと、
上記端末装置から出力要求のあった画像情報を上記画像情報記憶手段から抽出するステップと、
チケットＩＤに対応付けられた氏名を上記ユーザ固有情報記憶手段から抽出し、上記受信した氏名と一致するならば、正当なユーザと判定するステップと、
ユーザ認証に成功した場合には、上記抽出された画像情報と上記チケット情報記憶手段から抽出したチケット情報と当該ユーザの氏名を含むユーザ固有情報から成る出力情報を生成するステップと、
上記印刷装置に生成した情報を送信するステップ、
を含む処理を行うことを特徴とする出力情報発行方法。
【請求項１４】
スポーツ観戦、観劇などの役務を自ら享受したユーザの記念とするために
当該役務の入場チケットに印刷されている情報と
当該役務に関連した画像情報と
当該ユーザの氏名を少なくとも含むユーザ固有情報とを
統合して作成した出力情報を媒体に記録・発行するために、
入場チケットに印刷されているＵＲＬ情報に基づきウェブサイトにアクセスするユーザが使用する端末装置と
出力情報を発行する印刷装置と通信可能に構成され、
チケット情報を記憶するチケット情報記憶手段と
当該役務に関連した画像情報を記憶する画像情報記憶手段と
ユーザの氏名を少なくとも含むユーザ固有情報記憶手段と、
を有するコンピュータに対して、処理を実行させるコンピュータプログラムであって、
上記コンピュータに対して、
上記ＵＲＬ情報に基づき接続してきた上記端末装置からの発行要求を受け付けるとともに、送信されてきたチケット情報を受信するステップと、
上記端末装置から当該ユーザの氏名を含むユーザ固有情報を受信し、上記ユーザ固有情報記憶手段に上記チケット情報に含まれるチケットＩＤが未登録であれば、受信したユーザ固有情報をこのチケットＩＤに関連づけて登録するステップと、
上記ユーザ端末から出力要求のあった画像情報を上記画像情報記憶手段から抽出するステップと、
チケットＩＤに対応付けられた氏名を上記ユーザ固有情報記憶手段から抽出し、上記受信した氏名と一致するならば、正当なユーザと判定するステップと、
ユーザ認証に成功した場合には、上記抽出された画像情報と上記チケット情報記憶手段から抽出したチケット情報と当該ユーザの氏名を含むユーザ固有情報から成る出力情報を生成するステップと、
上記印刷装置に生成した情報を送信するステップと、
を実行させるコンピュータプログラム。
【発明の詳細な説明】
【技術分野】
【０００１】
スポーツ観戦、観劇などの役務を自ら享受したユーザの記念品のために入場チケットに印刷されている情報と、その役務に関連した画像情報と、氏名を少なくとも含むユーザ固有の情報とを統合して作成した出力情報を媒体に記録・発行するシステム、装置、方法、及びプログラムに関するものである。
【背景技術】
【０００２】
商品を購入した顧客に対し、一定の見返り（インセンティブ）を与えることで、購買活動の活性化を図るインセンティブプログラムには、様々な方法が採用されている。
特許文献１は、その一例であり、この特許第３６０７９１０号公報に記載の発明は、ユーザの購買活動と連動し、自らの購買記録となり得る商品または享受した役務の画像情報が表示された、例えば商品画像シールのような画像出力媒体を発行することを目的とする。このシールによって、ユーザは、自分が何を購入したのか、また、いつ、どこで、購入したかも思い出すことができるので、自分の購買記録となり得る。
また、商品とは無関係な、キャラクタやフィギアに関連する画像をシールにするのとは異なり、商品そのものの魅力により継続した購買意欲を喚起させるものである。すなわち、シール自体が価値を生み、シールを他の人と見せ合うことでユーザの享楽と成るような工夫がなされている。
【０００３】
【特許文献１】特許第３６０７９１０号公報
【発明の開示】
【発明が解決しようとする課題】
【０００４】
しかしながら、特許文献１に記載の発明は、消費者がシールの発行を要求する時、シール発行条件の判断となる代金決済を行った際のレシート情報が必要となる。そのため、例えば、ある人が複数枚のチケットをまとめて購入するような場合や団体で購入する場合、チケットを購入するその場で名前などの情報を入力するため購入に手間取ってしまうばかりか、シールを発行するための識別情報を購入した人に伝えるため券とは別にレシートも個別に発行しなければならず、手間がかかってしまうという問題があった。
そのため、本発明は購入した時点ではなく、実際に役務などの提供を受けた人が、各自がその場でシールなどの記念品となる印刷物の発行を申し込むことができる仕組みを提供することを目的とする。
【０００５】
また、近年カメラ付き携帯電話の普及に伴い、２次元コードを携帯電話で読み取って、しかるべきサイトにアクセスし、便益の提供を受けることが見受けられるようになってきた。そのため、本発明では、携帯電話と２次元コードとの組み合わせによりシステムを構成し、ユーザの利便性を高めることも目的とする。
【課題を解決するための手段】
【０００６】
上記の目的を達成するために、請求項１に係る発明は、
スポーツ観戦、観劇などの役務を自ら享受したユーザの記念とするために当該役務の入場チケットに印刷されている情報と、当該役務に関連した画像情報と、当該ユーザの氏名を少なくとも含むユーザ固有情報とを統合して作成した出力情報を媒体に記録・発行する出力情報発行システムであって、この出力情報発行システムは画像出力媒体を発行するシステムのウェブサイトに接続するためのＵＲＬ情報及びチケットＩＤや日付や場所や席番号が少なくとも含まれているチケット情報とが予め印刷されている入場チケットと、出力情報の発行を要求するユーザが使用する端末装置と、出力情報を発行する印刷装置と、上記端末装置と上記印刷装置と通信可能に構成された出力情報発行装置とを有し、
上記出力情報発行装置は、チケット情報を記憶するチケット情報記憶手段と、当該役務に関連した画像情報を記憶する画像情報記憶手段と、ユーザの氏名を少なくとも含むユーザ固有情報記憶手段と、上記ＵＲＬ情報に基づき接続してきた上記端末装置からの発行要求を受け付けるとともに、送信されてきたチケット情報を受信する発行要求受付手段と、上記端末装置からユーザ固有情報を受信し、上記ユーザ固有情報記憶手段に上記チケット情報に含まれるチケットＩＤが未登録であれば受信したユーザ固有情報をこのチケットＩＤに関連づけて登録するユーザ固有情報登録手段と、上記端末装置から出力要求のあった画像情報を上記画像情報記憶手段から抽出する出力用画像情報抽出手段と、チケットＩＤに対応付けられた氏名を上記ユーザ固有情報記憶手段から抽出し、上記受信した氏名と一致するならば、正当なユーザと判定するユーザ認証手段と、ユーザ認証に成功した場合には、上記抽出された画像情報と上記チケット情報記憶手段から抽出したチケット情報と当該ユーザの氏名を含むユーザ固有情報から成る出力情報を生成する出力情報生成手段と、上記印刷装置に生成した情報を送信する出力情報発行指示手段と、を有することを特徴とする。
【０００７】
これにより、役務を自ら享受したユーザは、その役務のチケットに印刷されていた情報と自分が気に入った場面などの画像情報が印刷された媒体を入手できるので、後々までの記念とすることができる。この媒体には、自分の氏名、自分の座った席番号も印刷されているので、自分以外の誰も持っていない記念品として、人間の持つ収集欲を満たすものである。
【０００８】
本発明における「役務」とは、スポーツ観戦やコンサート鑑賞、映画鑑賞のような無形物を意味している。本発明を有形の商品に適用することも可能であるが、自ら享受した体験を末永く記憶させることを目的とする本発明の性質上、主として無形の商品である役務に適用されるものと考えられる。
「役務に関連した画像情報」とは、例えば、役務がスポーツであればハイライトシーン、演劇であれば名場面を撮影した画像である。
「ユーザ固有情報」には、氏名の他に、発行された媒体を郵送する場合に必要となる住所、決済に必要となるクレジット情報などがある。
出力情報を記録し発行される「媒体」としては、画像や文字が印刷された紙片や、プラスチック製のカード、シートまたはフィルム等があり、裏面に粘着層が設けられた所謂シールや、同じく裏面に磁石が設けられたものも含まれる。つまり、印刷可能であればどのような媒体でもよい。
【０００９】
上記目的を達成するために、請求項２に係る発明は、請求項１に記載の
出力情報発行システムにおいて、上記端末装置は、カメラ付きの携帯電話であり、
上記入場チケットには、ＵＲＬ情報及びチケット情報が記憶された２次元コードが印刷され、上記携帯電話のカメラ機能によって読み取られることを特徴とする。
【００１０】
「２次元コード」とは、縦と横の両方向に意味のある符合によって情報を記憶するデータコードである。データコードとしては、他にバーコードと呼ばれる１次元コードもあるが、２次元コードは、情報記載量が多いことから好ましい。また、２次元コードの中でも特にＱＲコード（登録商標）は、カメラ付き携帯電話を利用したシステムとの親和性が高いことから特に好ましい。
【００１１】
上記の目的を達成するために、請求項３に係る発明は、請求項１又は２に記載の出力情報発行システムにおいて、上記出力情報生成手段は、利用者認証に失敗した場合、ユーザが正当である場合に生成する情報から氏名および席番号を削除した情報、あるいは、当該役務に特有の画像情報を削除した情報を生成することを特徴とする。
これにより、該当するチケットで役務を享受したユーザ以外の者は、正当なユーザが発行を受けられると同様の印刷物を入手することができない。
【００１２】
上記の目的を達成するために、請求項４に係る発明は、請求項１〜３のいずれかの項に記載の出力情報発行システムにおいて、上記出力情報発行装置は、ポイント付与手段を有し、このポイント付与手段は、正当なユーザからの要求により出力情報を発行した場合は当該ユーザにポイントを付与し、正当でないユーザからの要求により出力情報を発行した場合は正当なユーザにポイントを付与し、付与したポイントを上記ユーザ固有情報記憶手段に記憶させることを特徴とする。
これにより、ユーザは、出力情報の媒体への発行を要求するごとにポイントを蓄えることができるので、同一の役務について複数種類の発行を受けようとする動機付けとなる。また、正当でないユーザによる発行要求があった場合、ポイントは正当なユーザに付与されるので、正当なユーザが受ける不快感が緩和される。
【００１３】
また、請求項５に係る発明は、請求項４に記載の出力情報発行システムにおいて、上記画像情報記憶手段は、同一の役務が複数の主体によって提供される場合、個々の主体ごとの画像情報をその主体を識別する主体ＩＤと関連づけて記憶するとともに、上記ポイント付与手段は、ユーザから出力要求があった画像情報に関連づけられた主体ＩＤごとにポイントを付与することを特徴とする。
【００１４】
「同一の役務が複数の主体によって提供」とは、例えば、複数の役者（＝主体）によって演じられる演劇などをいう。役者ごとに名場面などの画像が記憶されており、ユーザはお気に入りの役者の画像の印刷を要求するならば、役者ごとにポイントが蓄えられる。
これにより、ユーザは自分の好きな役者、歌手、選手などにファン投票をしているのと同種の楽しみも生じる。また、同一の役務であっても、主体毎に画像を用意するといったように、印刷するための画像を多数用意することで、ユーザの収集意欲を喚起させることができる。
【００１５】
また、請求項６に係る発明は、カメラ付き携帯電話をユーザ端末として使用する場合、上記ユーザ固有情報登録手段は、上記携帯電話の機種固有情報を上記ユーザ固有情報記憶手段に登録し、上記ユーザ認証手段は、氏名に代えて携帯電話の機種固有情報を正当なユーザであることの判定に利用することを特徴とする。
これにより、ユーザは、発行要求の都度氏名を入力するという煩わしさから開放される。
【００１６】
さらに、請求項７に係る発明では、請求項１〜５のいずれかの項に記載の出力情報発行システムにおいて、上記入場チケットは、日付の代りに有効期間が定められ、契約者ＩＤを付与された期間契約の入場チケットであって、上記チケット情報記憶手段および上記ユーザ固有情報記憶手段には、当該入場チケットの契約者ＩＤも含められ、上記端末装置から上記出力情報発行装置に接続するためのＵＲＬ情報が当該役務の提供場所に掲示されているとともに、上記ユーザ認証手段は、氏名の代りに入力された契約者ＩＤによって正当なユーザか否かを判定することを特徴とする。
これにより、期間契約のユーザであっても、その都度チケットを購入するユーザと同様に、実際に享受した役務の記念となる印刷物の発行を受けることができる。
【００１７】
請求項８に係る発明は、スポーツ観戦、観劇などの役務を自ら享受したユーザの記念とするために当該役務の入場チケットに印刷されている情報と、当該役務に関連した画像情報と、当該ユーザの氏名を少なくとも含む当該ユーザ固有情報とを統合して作成した出力情報を媒体に記録・発行する装置であって、入力手段と、画面表示手段と、印刷手段と、チケット情報を記憶するチケット情報記憶手段と、役務に関連する画像情報を記憶する画像情報記憶手段と、ユーザの氏名を少なくとも含むユーザ固有情報記憶手段と、上記入力手段を介して入力された出力情報発行要求を受け付けるとともに、チケットＩＤ、日付、場所、席番号を少なくとも含むチケット情報を受け付ける発行要求受付手段と、上記ユーザ固有情報記憶手段に上記チケット情報に含まれるチケットＩＤが未登録であれば、上記入力手段を介して入力された当該ユーザの氏名を含むユーザ固有情報をこのチケットＩＤに関連づけて登録するユーザ固有情報登録手段と、上記画像情報記憶手段に記憶されている画像情報を上記画面表示手段に表示させ、上記入力手段を介して選択された画像情報を上記画像情報記憶手段から抽出する出力用画像情報抽出手段と、チケットＩＤに対応付けられた氏名を上記ユーザ固有情報記憶手段から抽出し、上記入力された氏名と一致するならば、正当なユーザと判定するユーザ認証手段と、ユーザ認証に成功した場合には、上記特定された画像情報と上記チケット情報記憶手段から抽出したチケット情報と当該ユーザの氏名を含むユーザ固有情報から成る出力情報を生成する出力情報生成手段と、上記印刷手段に生成した情報を送信する出力情報発行指示手段と、を有することを特徴とする。
【００１８】
これにより、ネットワークを介することなく、独立した装置を設置することにより、ユーザに出力情報を発行することが可能となる。スポーツ会場や劇場などの出口に設置すると、ユーザはその場で発行を受け、持ち帰ることができる。
【００１９】
請求項８記載の出力情報発行装置の上記出力情報発行指示手段は、利用者認証に失敗した場合、ユーザが正当である場合に発行する情報から氏名および席番号を削除した情報、あるいは、当該役務に特有の画像情報を削除した情報のいずれかを生成してもよい。また、ポイント付与手段を更に有し、このポイント付与手段は、正当なユーザからの要求により出力情報を発行した場合は当該ユーザにポイントを付与し、正当でないユーザからの要求により出力情報を発行した場合は正当なユーザにポイントを付与し、付与したポイントを上記ユーザ固有情報記憶手段に記憶させてもよい。
また、上記画像情報記憶手段は、同一の役務が複数の主体によって提供される場合、個々の主体ごとの画像情報をその主体を識別する主体ＩＤと関連づけて記憶するとともに、
上記ポイント付与手段は、ユーザから出力要求があった画像情報に関連づけられた主体ＩＤごとにポイントを付与してもよい。
さらに、請求項８〜１１のいずれかの項に記載の出力情報発行装置において、上記入場チケットは、日付の代りに有効期間が定められ、契約者ＩＤを付与された期間契約の入場チケットであって、上記チケット情報記憶手段および上記ユーザ固有情報記憶手段には、当該入場チケットの契約者ＩＤが含められ、上記ユーザ認証手段は、氏名の代りに入力された契約者ＩＤによって正当なユーザか否かを判定することとしてもよい。
【００２０】
請求項１３記載の出力情報発行の方法、および請求項１４記載のコンピュータプログラムによっても、上記した本発明の目的を達成することができる。
【発明の効果】
【００２１】
本発明によれば、役務を享受したユーザは、その役務の画像を出力した媒体を得ることができ、この媒体はユーザの購買活動と連動した購買記録ともなる。
また、この媒体に、享受した役務に固有の画像を、その役務の提供年月日・場所・席番号とともに、当該ユーザの名前を印刷することで、そのユーザ特有の媒体として本人にとって価値ある記念品となる。
しかも、ユーザ認証により、正当なユーザ、つまり自ら当該役務を享受したユーザだけが記念品たりうる媒体を入手できるので、一層価値ある記念品となる。
【発明を実施するための最良の形態】
【００２２】
以下、本発明の一実施の形態を、図面に基づき説明する。
図１は、本発明の実施の形態に係るシステムの一例を概略的に示す全体構成図である。
なお、以下の説明において、画像出力媒体の発行を要求する者をユーザという。ユーザには、その役務を自ら享受した正当なユーザと、享受しなかった不当なユーザとがいるが、正当なユーザと不当なユーザとでは、媒体に記録・発行される出力情報の内容が異なる点が、本発明の大きな特徴である。
【００２３】
図１に示すように、本実施の形態のシステムは、ユーザの携帯電話１と、この携帯電話１によってチケット情報が読み取られる入場チケット２と、出力情報発行装置３と、出力情報の記録・発行（印刷）を行う印刷装置４から構成される。
携帯電話１は、移動体通信網（図示せず）及びインターネットＮを介して出力情報発行装置３と接続する。
出力情報発行装置３は、印刷装置４とアクセス可能に接続されている。
【００２４】
携帯電話１は、カメラ機能付きであり、入場チケット２に印刷されている２次元コード５を読み取る。
ここで、携帯電話１によって読み取られる２次元コード５が印刷されている入場チケット２について説明する。図２に示すように、この入場チケット２の半券部分には、データコード５とチケット情報６が印刷されている。  
チケット情報６としては、チケットＩＤ（６ａ）、開催日時（６ｂ）、場所（６ｃ）、席番号（６ｄ）が少なくとも含まれる。
データコード５には、サイトのＵＲＬ（５ａ）とチケットＩＤ（５ｂ）が必須の情報として記憶されている。開催日時６ｂ、場所６ｃ、席番号６ｄなどの他のチケット情報を記憶させてもよい。
携帯電話１は、データコード５を撮像することにより、ＵＲＬ（５ａ）で特定されるウェブサイトへ簡単にアクセスすることができる。なお、このウェブサイトは、出力情報発行装置３によって運営管理されていることは言うまでもない。
【００２５】
携帯電話１は、図３に示すように、画像取得部７と、コード読取部８と、機種固有情報部９と、ブラウジング部１０と、キーやボタンなどの入力操作部１１と、ディスプレイなどの画面表示部１２と、通信インターフェース部１３と、制御部１４と、図示しない音声再生部を備える。
【００２６】
画像取得部７は、撮像素子としてＣＣＤを用いたカメラによって撮影された２次元コード５を取得する。
コード読取部８は、画像取得部７によって取得された２次元コード画像を解析し、その中に有している情報を抽出する。
機種固有情報部９には、携帯電話１に固有の情報が格納される。固有の情報としては、携帯電話の製造番号、あるいは契約者番号などがある。なお、この情報は、後述する第２の実施形態において、ユーザ認証のために利用される。
ブラウジング部１０は、ブラウザあるいはウェブブラウザなどと呼ばれるプログラムに従い、コード読取部８によって抽出されたＵＲＬ情報５ａに基づいてウェブサイトを管理する出力情報発行装置３へのアクセスを行うとともに、出力情報発行装置３からの情報を受信すると、その情報を画面表示部１２に表示させる。
制御部１４は、所定の制御プログラムに従って、上記の各部の動作を制御するものである。
【００２７】
出力情報発行装置３は、図４に示すように、チケット情報記憶手段１５、画像情報記憶手段１６、ユーザ固有情報記憶手段１７、発行要求受付手段１８、ユーザ固有情報登録手段１９、出力用情報抽出手段２０、ユーザ認証手段２１、出力情報生成手段２２、出力情報発行指示手段２３、ポイント付与手段２４を備える。
ただし、図４に示す各手段の分類は、あくまで説明の便宜上にすぎない。
各手段は、その機能に応じて、ハードウェア、ソフトウェアで実装される。ソフトウェアによる場合は、ＲＯＭやハードディスクなどの記憶手段に格納されているコンピュータプログラムを、ＣＰＵが実行する。これらは、公知の事柄であるので説明を省略する。
また、出力情報発行装置３と携帯電話１、及び出力情報発行装置３と印刷装置４は、通信インターフェース手段、通信ネットワークを介して、それぞれデータの送受信を行う。
さらに、図４には記載がないが、出力情報発行装置３は、処理の経過に伴う作業用中間データ、パラメータ類などを格納する記憶手段も備える。この点は、携帯電話１、印刷装置４も同様である。
【００２８】
チケット情報記憶手段１５は、販売された入場チケットのチケット情報をデータベース化して記憶するものである。このチケット情報は、個々の入場チケットに対応して設けられている。
画像情報記憶手段１６は、当該役務に関連した画像情報をデータベース化して記憶するものである。この画像情報は、当該役務のハイライトシーンや個々の選手や役者などに対応して登録されている。したがって、通常、同じ役務であっても複数の異なる画像情報が記憶されている。
ユーザ固有情報記憶手段１７は、ユーザの氏名を少なくとも含むユーザ固有情報をデータベース化して記憶するものである。このユーザ固有情報は、ユーザからの出力情報発行要求が最初に送信されたとき、チケットＩＤに関連づけて登録される。ここで、チケットＩＤは、個々のユーザを識別するユーザＩＤとしての意義ももつ。１枚の入場チケットは１人のユーザに販売されるからである。
【００２９】
発行要求受付手段１８は、上記ＵＲＬ情報５ａに基づき接続してきたユーザからの出力情報発行要求に必要なチケット情報を受け付ける処理を行う。ユーザは、入場チケット２に印刷されている２次元コード５を携帯電話１のカメラで読み取るだけでよい。
ユーザ固有情報登録手段１９は、ユーザから送信されてくる氏名を含む固有情報を受信する。少なくとも氏名の受信は発行要求ごとに必須とする。正当なユーザか否かの認証に必要となるからである。ユーザ固有情報を受信すると、ユーザ固有情報登録手段１９は、ユーザ固有情報記憶手段１７を参照し、先に受信したチケット情報に含まれるチケットＩＤを検索する。一致するものが見つからなければ、受信したユーザ固有情報をチケットＩＤと関連づけて登録する。
出力用情報抽出手段２０は、上記携帯電話１から出力要求のあった画像情報を上記画像情報記憶手段１６から抽出する処理を行う。
【００３０】
ユーザ認証手段２１は、チケットＩＤに対応付けられた氏名を上記ユーザ固有情報記憶手段１７から抽出し、受信した氏名と一致するならば、正当なユーザと判定する処理を行う。
出力情報生成手段２２は、ユーザ認証手段２１による判断終了後、ユーザ認証に成功した場合には、上記抽出された画像情報とチケット情報記憶手段１５から抽出したチケット情報と当該ユーザの氏名を含む固有情報とを統合して出力情報を生成する処理を行う。この際、生成される情報には、出力媒体の材質や大きさ、色などを指定する情報も適宜含むものとする。そのためには、出力媒体に関する情報も別途データベース化しておくことが望まれるが、詳細は省略する。
出力情報発行指示手段２３は、出力情報生成手段２２にて生成された出力情報を、印刷装置４へ送信する処理を行う。
【００３１】
ポイント付与手段２４は、正当なユーザからの要求により出力情報を発行した場合は当該ユーザにポイントを付与し、正当でないユーザからの要求により出力情報を発行した場合は正当なユーザにポイントを付与し、付与したポイントを上記ユーザ固有情報記憶手段に記憶させる処理を行う。
【００３２】
印刷装置４は、出力情報発行装置３から送信された出力情報を受け付け、シールなどの出力媒体に印刷するための印刷情報を生成し、その後シールなどを印刷し発行する処理を行う。
以上が本実施形態のシステムの構成である。
【００３３】
続いて、本実施形態のシステムの動作を説明するが、まず、このシステムで必要なデータベースのデータ構造について述べる。
図５にチケット情報データベースの一例を、図６に画像情報データベースの一例を、図７にユーザ固有情報データベースの一例をそれぞれ示す。各データベースは、それぞれチケット情報記憶手段１５、画像情報記憶手段１６、ユーザ固有情報記憶手段１７に格納されている。
【００３４】
図５においてチケット情報データベースは、チケットＩＤ（１５ａ）と、チケット情報（日付、場所、席番号、その他）１５ｂによって構成されている。これらの情報は、ユーザの手許にある入場チケット２にも同一内容が印刷されている。チケットＩＤさえ入力されれば、出力情報発行装置３は、データベースから日付、場所、席番号を抽出することができる。
【００３５】
図６において画像情報データベース１６は、画像ＩＤ（１６ａ）と、画像ファイル識別子１６ｂによって構成されている。この画像ファイル識別子は画像ＩＤで表される画像情報のデジタルデータを保管する場所を示す情報であって、たとえば、ファイル名とかパス名とか呼ばれる情報である。
一つのスポーツ試合や演劇、コンサートなどでは通常印象的なシーンが複数あり、これらのシーンに対応して複数の画像情報が格納されている。
【００３６】
図７においてユーザ固有情報データベース１７は、チケットＩＤ（１７ａ）と、氏名を少なくとも含むユーザ固有情報１７ｂによって構成されている。このデータベースは、予め登録されるのではなく、発行要求をしてきたユーザの固有情報を初回のアクセス時に登録するものである。出力情報発行装置３は、ここに登録されている氏名のユーザが正当なユーザであると想定しているが、このように想定しても不都合はない。なぜなら、入場チケット２の半券を拾ったりしたユーザが先に発行を要求し、その後正当なユーザが発行を要求してくることは考えがたいからである。
なお、上記示した各データベースの構造はリレーショナルデータベースを例にしているが、これに限らず、例えば、ＸＭＬ形式を用いてもよい。
【００３７】
それでは図８に従い、本システムの処理の流れを説明する。
ここでは、ユーザＡ（氏名は「甲山一子」）が図２に示す入場チケット２でコンサートを楽しみ、その後入場チケット２の半券に印刷されている２次元コード５を利用して記念用印刷物の発行を受けようとする場合を想定する。
ユーザＡは、カメラ付き携帯電話１で、この２次元コード５を読み取り（ステップＳ１）、ＵＲＬ（５ａ）に基づきウェブサイトにアクセスする（ステップＳ２）。これにより、出力情報発行装置３の発行要求受付手段１８は、ユーザＡからの発行要求を受信する。あわせて、チケット情報の送信も受ける。チケット情報として少なくともチケットＩＤが含まれることが必要である。
なお、チケット情報記憶手段１５には、あらかじめチケットＩＤと関連づけて日付・場所・席番号などのチケット情報が登録されている。そのため、２次元コード５には、チケットＩＤのみをＵＲＬとともに記憶させておけば足りる。
【００３８】
出力情報発行装置３のユーザ固有情報登録手段１９は、ユーザＡに対して、氏名および必要な個人情報の入力を促し（ステップＳ３）、氏名が送信される（ステップＳ４）と、先に受信したチケットＩＤをユーザ固有情報記憶手段１７から検索し、一致するものがなければ（ステップＳ５で‘ｎｏ‘）、ユーザ固有情報記憶手段１７に氏名をチケットＩＤと関連づけて登録する（ステップＳ６）。氏名以外の個人情報も受信したならば、併せて登録しておく。
【００３９】
次に、出力情報発行装置３の出力用情報抽出手段２０は、ユーザＡに対して出力を希望する画像情報の選択を促すためのデータを送信し（ステップＳ７）、選択された画像情報を画像情報記憶手段１６から抽出する（ステップＳ８，Ｓ９）。具体的には、例えば、ユーザに画像を選択させるために、画像ＩＤと対応づけて登録されている説明文やサムネイル画像などを携帯電話１の画面に表示させ、選択された画像ＩＤを携帯電話１から受信すると、この画像ＩＤに対応付けられた画像ファイル識別子を画像情報記憶手段１６から抽出する。
【００４０】
続いて、出力情報発行装置３のユーザ認証手段２１は、ユーザＡが正当なユーザか否かを判定する。そのために、ユーザ固有情報記憶手段１７からチケットＩＤをキーとして氏名を抽出し、抽出された氏名と送信された氏名とを照合し（ステップＳ１０）、一致しているならば正当なユーザであると判断する。
【００４１】
正当なユーザである場合（ステップＳ１０で‘一致‘）、、出力画像生成手段２２は、次の手順で媒体へ記録・発行（印刷）するための出力情報を生成する（ステップＳ１１）。
チケット情報記憶手段１５から、チケットＩＤをキーとして、当該役務の日付、場所、席番号を抽出する。これらは、入場チケット２に印刷されている情報であり、この記念用印刷物に、これら入場チケットと同一の情報が印刷されていることは本発明の特徴の一つである。
先に抽出してあった画像識別情報に基づきデジタル画像データを抽出する。
出力情報生成手段２２は、以上のチケット情報と抽出したデジタル画像データにユーザの氏名を加え、出力のための情報を生成する。生成した情報が印刷装置４に送信される（ステップＳ１２）。これにより、出力情報発行装置３での発行指示における一連の動作は終了する。
印刷装置４によって記録・発行（印刷）される記念品の一例を図９に示す。この例のように、席番号２６と氏名２７はユーザＡに固有である。実際にその場で役務を享受した人だけが得ることができるのでユーザＡ本人にとって記念品としての価値が高い。それだけに、他人が同一の印刷物を入手できるようであっては、意味がない。そのため、本発明では、このような不都合が生じないようにすることを第一の目的とする。
【００４２】
もし、ユーザＡが捨てたり落としたりした入場チケットの半券を入手したユーザＢ（氏名は「乙田二子」）が発行要求をした場合、ユーザ認証手段２１は、チケットＩＤをキーとしてユーザ固有情報記憶手段１７から抽出した氏名（甲山一子）と一致しないことから正当なユーザではないと判断する。
この場合（ステップＳ１０で‘不一致‘）、本システムは、図１０、図１１に例示するような記念品として不十分な印刷物を発行する（ステップＳ１３）。図１０は、ユーザＡであれば得られるはずの印刷物から氏名および席番号が削除され、図１１では、当該役務に特有の画像情報２８が削除され、代わりに一般的な図柄２９が印刷されているにすぎない。これでは、記念品として不十分である。
【００４３】
本発明は、ユーザに固有の記念品を発行することを通じて、記念品の購入さらには役務の購入の動機付けを与えることも目的としている。かかる観点からは、ポイント制を採用することは効果的であり、本実施形態でもポイント付与手段２４を設けている。
ポイント付与手段２４によるポイントの付与は、出力情報の生成後、あるいは決済終了後などの適当なタイミングで行えばよい。
【００４４】
ユーザＡ、つまり正当なユーザが発行要求をした場合は、ユーザＡに対して、所定の取り決めに従いポイントが付与され、ユーザ固有情報記憶手段１７に現在のポイント数が記憶される。画像情報記憶手段１６に特定の主体ごとの画像が用意されている場合、ユーザＡが要求した画像の主体ごとにポイントを付与してもよい。ポイント数が一定数に達した場合など、その選手や俳優などのサイン入り色紙が贈られる等の特典があれば、当該記念用印刷物の購買意欲が倍加するというものである。
ユーザＢ、つまり正当でないユーザが発行要求をした場合は、正当なユーザＡにポイントを付与してもよく、ポイントを全く付与しないようにしてもよい。
【００４５】
上記の実施形態では、ユーザが使用する端末装置としてカメラ付き携帯電話を用いている。しかし、入場チケット２にＵＲＬを表す文字列が印刷されているならば、この文字列をキー入力することでシステムのウェブサイトにアクセスできるのでユーザの端末装置としてカメラ機能のない携帯電話やパソコンを用いてもよい。
【００４６】
本発明では、決済方法については特に限定しない。たとえば、携帯電話からサイトにアクセスし、シール等の購入をする場合に、クレジットカードによる決済を選択し、そのために必要な情報を携帯電話からキー入力してウェブサイトに送信してもよい。また、本発明は、発行されたシールなどをユーザに渡す方法についても特に限定しない。
【００４７】
（第２の実施形態）
この実施形態は、ユーザ認証のために氏名に代わって携帯電話の機種固有情報を使用する点でのみ第１の実施形態と相違する。そのため、以下、相違点のみを説明する。
カメラ付き携帯電話１で、入場チケット２の表面に印刷された２次元コード５を読み取り、記憶されていたＵＲＬ（５ａ）に基づきウェブサイトにアクセスする。このとき、携帯電話１の機種固有情報も送信する。
この実施形態は、このように送信された携帯電話１の機種固有情報をユーザ認証に利用しようとする点に特徴がある。そのため、ユーザ固有情報記憶手段１７には、図１２に例示するように、携帯電話１の機種固有情報（１７ｃ）も登録しておくことが必須である。
機種固有情報を受信した出力情報発行装置３は、同時に受信したチケットＩＤをユーザ固有情報記憶手段１７から検索し、一致するものがなければ、チケットＩＤとともに携帯電話１の機種固有情報を登録する。この場合、印刷物に印刷したり、郵送したりする便宜上、ユーザに対して氏名の入力を促し、氏名も登録する。しかし、２回目以降の発行要求の際には氏名の入力は必要ない。
初回の発行要求時と異なる機種固有情報を持つ携帯電話からのアクセスは、不当なユーザによるものと判断される。
なお、携帯電話は、カメラ付きでもカメラ機能が無いものでもいずれでもよい。
【００４８】
（第３の実施形態）
上記の第１、第２の実施形態における入場チケット２は、１回分の役務の提供を受けるためのものと想定している。
しかし、入場チケットには期間契約であって、所定期間内は何回でも同じ座席で提供を受けられるタイプもある。この実施形態は、かかる期間契約チケットを対象とする。
システム構成は、第１の実施形態とほとんど相違するところはなく、相違点は下記のとおりである。
【００４９】
まず、チケット情報記憶手段１５には、チケットＩＤと関連づけて、有効期間１５ｅを記憶させておく（例えば、１年間専用ボックスシートを予約した顧客については、当該顧客のＩＤに関連付けて有効期間１年間を記憶）。
なお、チケットＩＤは、通常の入場チケットと区別しうることが望ましく、図１３のデータベース構成例では、通常の入場チケットのＩＤは０から始まり、期間契約チケットは９から始まることで区別している。また、チケットＩＤとは別に契約者ＩＤ（１５ｆ）も記憶させる。
そして、チケットにＵＲＬを記憶した２次元コードを印刷しておく代わり、役務の提供場所にこのサイトのＵＲＬを記憶した２次元コードを掲示しておき、この２次元コードを読み取って出力情報発行装置３に送信する。そして、送信する際に、予め持っている年間チケット等のチケットＩＤをキー操作などによって入力して、これを指定されたサイトに送信する。これにより、上述の実施形態と同様に、チケットを発券することができる。
なお、このＵＲＬは、当該役務専用であれば、ユーザが日時、場所などを入力しなくとも、サイト上からサーバが記憶している日付・場所に基づいて発券することができる。
また、場所はＵＲＬとともに２次元コードに入れておいてもよいし、日付は携帯電話が持っている日付を利用してもよい。
また、ユーザ固有情報記憶手段１７には、チケットＩＤと対応づけて契約者ＩＤも記憶させ、ユーザ認証には、氏名の代りにこの契約者ＩＤを参照して、契約者ＩＤが一致するか認証するようにしてもよい。したがって、契約者ＩＤは、チケットに印刷してもよいが、チケットとは別なカードにしたり、また暗証番号のようにして、第三者に知られないようにしておくことが望ましい。
上述の事項以外は、第１の実施の形態と同様な構成により実現できる。
【００５０】
（第４の実施形態）
この実施形態は、１台の装置で発行受付から出力情報の媒体への記録・発行（印刷）までを行うものである。１台の出力情報発行装置が、第１の実施形態における携帯電話および印刷装置の役割をも担うわけである。
スポーツ会場や劇場にて観戦や観劇を楽しんだ後、帰りに出口のところで記念品として印刷物を購入などでき、帰宅後も感動を持続させることができる。図１４は、このような出力情報発行装置３０の機能ブロックの一例を示すものである。１点鎖線の矩形３１で囲んだ部分は、第１の実施形態の携帯電話１に相当し、１点鎖線の矩形３２で囲んだ部分は、第１の実施形態の印刷装置４に相当する。図１４において、第１の実施形態と同じ機能を有する手段は、図４と同一の符号を付している。
この実施形態の動作は、第１の実施形態のシステムの動作とほぼ同様である。
なお、現金あるいは電子マネーで決済できる手段（図示せず）も備えていれば、劇場などの係員を煩わすことがない。
【００５１】
上記の実施形態では、チケット情報がチケット情報記憶手段１５に予め登録されていたが、ユーザからの初回の発行要求があったときに登録するようにしてもよい。その場合は、２次元コードに、チケットＩＤだけでなく、少なくとも日付・場所・席番号を記憶させ、出力情報発行装置３に送信するようにしなくてはならない。
上記の実施形態では、不当なユーザの場合、図１０、図１１に例示したような一部の情報を欠いた印刷物を発行している。しかし、正当なユーザ以外の発行要求に対しては、発行しないようにしてもよい。
上記の実施形態では、正当なユーザにポイントを付与しているが、必ずしもポイント制を設けなくてもよい。
さらに、上記の実施形態では、ＵＲＬおよびカードＩＤが２次元コードに含まれていたが、バーコードでもよい。あるいは、入場チケットにＵＲＬおよびカードＩＤが文字列として印刷され、ユーザがそれを見ながらキー入力してもよい。
要は、上記の実施の形態はすべての点で例示であって制限的なものではないということである。したがって、例えば、データベースの構造も処理フローの詳細も上記以外に種々が考えられる。
【００５２】
記念品たりうる出力情報が記録・発行された媒体を取得するには自ら役務を享受したという条件を満足している必要があるため、この媒体を収集すること自体が楽しく、複数種類の画像が印刷された記念品の購入、さらには、役務自体の購入が促進される。
【図面の簡単な説明】
【００５３】
【図１】第１の実施形態のシステム構成図である。
【図２】第１の実施形態の入場チケットを例示する図である。
【図３】第１の実施形態の携帯電話の機能ブロック図である。
【図４】第１の実施形態の出力情報発行装置の機能ブロック図である。
【図５】第１の実施形態のチケット情報データベースの構成例を示す図である。
【図６】第１の実施形態の画像情報データベースの構成例を示す図である。
【図７】第１の実施形態のユーザ固有情報データベースの構成例を示す図である。
【図８】第１の実施形態の出力情報発行装置側の処理フローである。
【図９】第１の実施形態の正当なユーザに対して発行された媒体の例である。
【図１０】第１の実施形態の不当なユーザに対して発行された媒体の例である。
【図１１】第１の実施形態の不当なユーザに対して発行された媒体の例である。
【図１２】第２の実施形態のユーザ固有情報データベースの構成例を示す図である。
【図１３】第３の実施形態のチケット情報データベースの構成例を示す図である。
【図１４】第４の実施形態の出力情報発行装置の機能ブロック図である。
【符号の説明】
【００５４】
１  ユーザの端末装置（携帯電話）
２  入場チケット
３  出力情報発行装置
４  印刷装置
５  データコード
１５  チケット情報記憶手段
１６  画像情報記憶手段
１７  ユーザ固有情報記憶手段
１８  発行要求受付手段
１９  ユーザ固有情報登録手段
２０  出力用情報抽出手段
２１  ユーザ認証手段
２２  出力情報生成手段
２３  出力情報発行指示手段
２４  ポイント付与手段
３０  （第４の実施形態の）出力情報発行装置
【図１】
2010061589.tif 000003
【図２】
2010061589.tif 000004
【図３】
2010061589.tif 000005
【図４】
2010061589.tif 000006
【図５】
2010061589.tif 000007
【図６】
2010061589.tif 000008
【図７】
2010061589.tif 000009
【図８】
2010061589.tif 000010
【図９】
2010061589.tif 000011
【図１０】
2010061589.tif 000012
【図１１】
2010061589.tif 000013
【図１２】
2010061589.tif 000014
【図１３】
2010061589.tif 000015
【図１４】
2010061589.tif 000016